(57)【要約】【課題】  石膏ボードや薄いベニヤに直接打ち込んで物品等を吊り下げることができるため、重い物でも問題なく吊り下げられ、多目的に使用できる。  また、石膏ボード等への打ち込みは、専用の取付具を使用することにより、誰でも簡単・確実に打ち込むことができ、作業効率を向上させてなる吊下具及びその取付具を提供する。【解決手段】  石膏ボード等に直接打ち込むべく、ピン本体に挿入孔を設けたピンと、該挿入孔に取り付ける紐とからなることを特徴とする。【選択図】  図１
2005083569.tif 000002
【特許請求の範囲】
【請求項１】
石膏ボード等に直接打ち込むべく、ピン本体に挿入孔を設けたピンと、該挿入孔に取り付ける紐とからなることを特徴とする吊下具。
【請求項２】
挿入孔をピン本体の先端部に設けてなることを特徴とする請求項１記載の吊下具。
【請求項３】
紐が、細いワイヤーであることを特徴とする請求項１又は２記載の吊下具。
【請求項４】
ピンを石膏ボード等に直接打ち込んで貫通させ、ピンを回転させ、アンカー作用を持たせてなることを特徴とする請求項１、２又は３記載の吊下具。
【請求項５】
紐の下端部に、フックを設けてなることを特徴とする請求項１、２、３又は４記載の吊下具。
【請求項６】
フックを紐の両端部に設け、棚等を水平あるいは斜状に形成できることを特徴とする請求項５記載の吊下具。
【請求項７】
紐を短めに切断し、合成樹脂製等による中央に孔を設けたカバーの該孔に紐を挿入し、ネジ付フックを螺着してなることを特徴とする請求項１、２、３又は４記載の吊下具。
【請求項８】
吊下具を石膏ボード等に打ち込む時に使用するもので、ピンを挿入して支持する支持パイプと、該支持パイプ内に挿通する突押棒とからなることを特徴とする取付具。
【請求項９】
支持パイプにスリットを形成してなることを特徴とする請求項８記載の取付具。
【発明の詳細な説明】
【技術分野】
【０００１】  本発明は、主に石膏ボードや薄いベニヤに対して、直接差し込み、物品等を吊り下げ、支持するための吊下具及びその取付具に関するものである。
【背景技術】
【０００２】  背景技術としては、一定長さのワイヤーロープに通し込まれた昇降調整金具と、そのワイヤーロープの上端部を既設固定物へ取付け固定するための取付金具と、同じくワイヤーロープの下端部に取付けられた昇降調整金具用抜け止めストッパーとからなり、額縁や植木鉢などの各種品物を吊り下げる索条の係止金具を、上記昇降調整金具へ一体的に組み付けた懸垂装置において、上記係止金具の下半部に斜め上向くフックの出し入れ面を、その係止金具と一緒に上記昇降調整金具へ組み付けられたはずれ止め片の弾性カバーにより、上記吊り下げ索条の脱落不能に遮断したことを特徴とする懸垂装置がある。（特許文献１参照）【０００３】
【特許文献１】  特開平１０−３０４９５９号公報（請求項１、図３）
【発明の開示】
【発明が解決しようとする課題】
【０００４】  上記の形態から解るように、特に図３に表されているように、固定具（１５）によって、天井面（Ｃ）に取付け使用されるもので、固定具（１５）として皿ビスや釘などを使用しており、特に石膏ボードにおいては、植木鉢等の重い物を吊り下げた場合、抜けてしまう危険性が大であり、問題がある。【０００５】  本発明は、上記の問題点に鑑みなされたもので、その目的は石膏ボードや薄いベニヤに直接打ち込んで物品等を吊り下げることができるため、重い物でも問題なく吊り下げられ、多目的に使用できる。
また、石膏ボード等への打ち込みは、専用の取付具を使用することにより、誰でも簡単・確実に打ち込むことができ、作業効率を向上させてなる吊下具及びその取付具を提供するものである。
【課題を解決するための手段】
【０００６】  課題を解決するための手段として、吊下具においては、石膏ボード等に直接打ち込むべく、ピン本体に挿入孔を設けたピンと、該挿入孔に取り付ける紐とからなること。挿入孔をピン本体の先端部に設けてなること。紐が、細いワイヤーであること。ピンを石膏ボード等に直接打ち込んで貫通させ、ピンを回転させ、アンカー作用を持たせてなること。紐の下端部に、フックを設けてなること。フックを紐の両端部に設け、棚等を水平あるいは斜状に形成できること。紐を短めに切断し、合成樹脂製等による中央に孔を設けたカバーの該孔に紐を挿入し、ネジ付フックを螺着してなることを特徴とする。また、取付具においては、吊下具を石膏ボード等に打ち込む時に使用するもので、ピンを挿入して支持する支持パイプと、該支持パイプ内に挿通する突押棒とからなること。支持パイプにスリットを形成してなることを特徴とする。
【発明の効果】
【０００７】１）、ピンに紐を設けたシンプルな形状でありながら、強靭なアンカー効果を有し、植木鉢等の重い物も吊り下げることができる効果がある。
２）、挿入孔をピンの先端部に設けることにより、打ち込み後、ピンを反転させやすくアンカーとして機能できる。
３）、紐をワイヤーとすることにより、より一層重い物を吊り下げることができる。
４）、紐の下端部にフックを設けることにより、色々な物を吊るすことができ、特に２つフックを設けることにより、棚等を施工でき、多目的に使用できる。
５）、カバーとネジ付フックを使用することにより、天井より吊り下げる物に対して有効に使用できる。
６）、取付具を使用することにより、誰でも簡単・容易にピンを石膏ボード等に打ち込むことができる。
【発明を実施するための最良の形態】
【実施例】
【０００８】  吊下具１は、石膏ボード等に直接打ち込むべく、ピン本体２ａの先端部に挿入孔２ａ１を設けたピン２の挿入孔２ａ１に細いワイヤーによる紐３を取り付け、該紐３の両端部に例えばフック４・４を設けてもよい。
なお、フック４・４は固定式でも着脱式でもよい。【０００９】  つぎに、取付具を説明する。
取付具は、吊下具１を石膏ボード等に打ち込む時に使用するもので、上記ピン２を挿入して支持する支持パイプ５と、該支持パイプ５内に挿通する頭部６ａを設けてなる突押棒６とから構成される。
なお、別の支持パイプ５ａとして、スリット５ａ１を形成してなるものも一考である。【００１０】  つづいて、吊下具１を取付具を使用して壁あるいは天井に取り付ける手順について下記に述べる。
まず、石膏ボードによる壁Ｋの所要位置に支持パイプ５（５ａ）を当接し、その中にピン２を挿入し、その上方より突押棒６の先端部を挿入する。
その後、木製ハンマー等（図示せず）にて、頭部６ａを叩き、ピン２を打ち込む。
ピン２を貫通させた後、突押棒６を引き抜き、支持パイプ５（５ａ）を取り外す。
支持パイプ５の場合は、フック４・４が取り外せるタイプ（着脱式）のときに使用するものである。
また、支持パイプ５ａは固定したタイプ（固定式）でも使用でき、スリット５ａ１から紐３を外すものである。【００１１】  棚用としての吊下具１を使用する場合を下記に述べる。
壁Ｋに吊下具１を所要距離にて少なくとも２箇所設け、メッシュ状の棚板Ｔの後部に一方のフック４を引っ掛け、前部に他方のフック４を引っ掛け、棚板Ｔを紐３にて水平に支持するものである。【００１２】  つぎに、天井吊用としての吊下具１を使用する場合、天井ＴＪに同様に取り付け、紐３を短めに切断し、合成樹脂製等により中央に孔７ａを設けた円形状のカバー７の該孔７ａに、紐３を挿入し、ネジ付フック８を螺着してなる。【００１３】  上記のように、吊下具１は、壁、天井に吊り下げて使用できるものである。
また、紐もワイヤーに限定するものでなく、他の材質のものでもよい。
さらに、フックに変わる固定具等を設けてもよく、何も設けていない形態でもよい。
さらにまた、取付具における支持パイプ及び突押棒においても、同様な機能を有するものであれば他の形状のものでもよい。
【図面の簡単な説明】
【００１４】
【図１】  本発明の一実施例を示す吊下具の正面図。
【図２】  本発明の一実施例を示す吊下具の平面図。
【図３】  本発明の一実施例を示す取付具の支持パイプの縦断正面図。
【図４】  本発明の一実施例を示す取付具の他の支持パイプの縦断側面図。
【図５】  本発明の一実施例を示す取付具の突押棒の正面図。
【図６】  本発明の一実施例を示す吊下具の取付状態を示す第１工程図。
【図７】  本発明の一実施例を示す吊下具の取付状態を示す第２工程図。
【図８】  本発明の一実施例を示す吊下具の取付状態を示す第３工程図。
【図９】  本発明の棚用としての吊下具の使用状態を示す側面図。
【図１０】  本発明の天井吊用としての吊下具の使用状態を示す側面図。
【符号の説明】
【００１５】１−−−吊下具
２−−−ピン
３−−−紐
４−−−フック
５−−−支持パイプ
６−−−突押棒
Ｋ−−−壁
ＴＪ−−天井
７−−−カバー
８−−−ネジ付フック
【図１】
2005083569.tif 000003
【図２】
2005083569.tif 000004
【図３】
2005083569.tif 000005
【図４】
2005083569.tif 000006
【図５】
2005083569.tif 000007
【図６】
2005083569.tif 000008
【図７】
2005083569.tif 000009
【図８】
2005083569.tif 000010
【図９】
2005083569.tif 000011
【図１０】
2005083569.tif 000012